(57)【要約】      （修正有）【課題】他の目的に再利用しやすくする収納容器を提供する。【解決手段】上方に向かって開口する開口部８及び開口部８から収容物品１０を収容する収容空間９を有する容器本体２と、容器本体２に対して着脱自在に装着され、表面の中央部に形成されている所定の領域に所定の装飾が施された装飾部１５を有する蓋体３とを備え、シート状に形成されており、装飾部１５が形成されている大きさと同じ大きさに形成されているくり抜き領域１６と、くり抜き領域１６の周囲に形成されている額縁領域１７と、くり抜き領域１６及び額縁領域１７の境界に形成される切断部１８とを備え、収容空間９内に配置されている場合には収容物品１０に加わる衝撃を緩やかにし、切断部１８に沿ってくり抜き領域１６に位置する部分をくり抜いて、そのくり抜いた領域に窓部が形成された場合には装飾部１５を視認できるように蓋体３の表面に貼り付けられるように構成されている緩衝シート５を備えている。【選択図】図１
0003207405.tif 000002
【実用新案登録請求の範囲】
【請求項１】
上方に向かって開口する開口部及び前記開口部から内部に収容物品を収容するための収容空間を有する容器本体と、前記開口部を閉塞するように、前記容器本体に対して着脱自在に装着され、表面の中央部に形成されている所定の領域に所定の装飾が施された装飾部を有する蓋体と、前記収容空間内に収容配置されており、前記収容空間内において前記収容物品に加わる衝撃を緩やかにする緩衝体とを備えた収容容器であって、
前記緩衝体とは別体でシート状に形成されており、前記装飾部が形成されている大きさと同じ大きさに形成されているくり抜き領域と、前記くり抜き領域の周囲に形成されている額縁領域と、前記くり抜き領域及び前記額縁領域の境界に形成される切断部とを備え、前記収容空間内に配置されている場合には前記収容物品に加わる衝撃を前記緩衝体とともに緩やかにし、前記切断部に沿って前記くり抜き領域に位置する部分をくり抜いて、そのくり抜いた領域に窓部が形成された場合には前記装飾部を視認できるように前記蓋体の表面に貼り付けられるように構成されている緩衝シートを備えていることを特徴とする収容容器。
【請求項２】
収容空間に収容された収容物品に関する情報を表示するための表示体が額縁領域の所定の位置に貼付可能である請求項１記載の収容容器。
【請求項３】
表示体がカレンダーであり、少なくとも蓋体を立てかけて設置するための設置部が形成されている請求項２記載の収容容器。
【考案の詳細な説明】
【技術分野】
【０００１】
本考案は、収容空間に所定の収容物品を収容することのできる収容容器に関する。
【背景技術】
【０００２】
従来から、包装用容器として、例えば金属板製、プラスチック製、木製又は紙製等で形成されている収容容器が知られている。この様な収容容器には、一般的には上部が開口して内部に収容空間が形成されている容器本体と、開口部を閉塞する蓋体とを備えており、収容空間内にクッキー、チョコレート等のような各種のお菓子等と言った収容物品を収容することができるようになっている。また、従来から知られている収容容器は、蓋体に例えば絵画やイラスト等を用いた所定の装飾が描かれているものが多く知られている。また、中には単に所定の装飾が描かれているだけではなく、その装飾に合わせて凹凸を形成しているものもある。また、メーカーからすると、お菓子等のような各種の収容物品をより多く販売するためには少しでも消費者の目に留まるようにするために装飾を施すこともあるため、近年は、従来よりもより華やかな装飾を施している収容容器も存在する。
【考案の概要】
【考案が解決しようとする課題】
【０００３】
ところが、このような収容容器は、当初から収容されている収容物品（お菓子等）が消費されると空箱になり、そのまま廃棄してしまうのは惜しいようにも感じるものの、最終的には廃棄されてしまうというのが現状である。この問題は、廃棄物をより減らそうとする近年の傾向からは反するところでもあり、大きな社会問題にもなりつつある。本考案は、このような問題点を解決するためになされたものであり、収容容器を他の目的によって再利用しやすくすることを目的とする。
【課題を解決するための手段】
【０００４】
本考案は、
（１）上方に向かって開口する開口部及び前記開口部から内部に収容物品を収容するための収容空間を有する容器本体と、前記開口部を閉塞するように、前記容器本体に対して着脱自在に装着され、表面の中央部に形成されている所定の領域に所定の装飾が施された装飾部を有する蓋体と、前記収容空間内に収容配置されており、前記収容空間内において前記収容物品に加わる衝撃を緩やかにする緩衝体とを備えた収容容器であって、
前記緩衝体とは別体でシート状に形成されており、前記装飾部が形成されている大きさと同じ大きさに形成されているくり抜き領域と、前記くり抜き領域の周囲に形成されている額縁領域と、前記くり抜き領域及び前記額縁領域の境界に形成される切断部とを備え、前記収容空間内に配置されている場合には前記収容物品に加わる衝撃を前記緩衝体とともに緩やかにし、前記切断部に沿って前記くり抜き領域に位置する部分をくり抜いて、そのくり抜いた領域に窓部が形成された場合には前記装飾部を視認できるように前記蓋体の表面に貼り付けられるように構成されている緩衝シートを備えていることを特徴とする収容容器、
（２）収容空間に収容された収容物品に関する情報を表示するための表示体が額縁領域の所定の位置に貼付可能である上記（１）記載の収容容器、
（３）表示体がカレンダーであり、少なくとも蓋体を立てかけて設置するための設置部が形成されている上記（２）記載の収容容器を要旨とする。
【考案の効果】
【０００５】
本考案によれば、緩衝シートを切断部においてくり抜き領域をくり抜くことにより窓部を形成し、これを蓋体の表面に貼り付けることによって装飾部の周囲に額縁領域が配置されることになり、額縁に収まった絵画のような形で視認することができ、装飾部に描かれている絵画等の装飾を観賞用に用いることができる。そのため、収容容器を当初の目的とは別の目的で再利用することができるようになり、収容容器を有効活用することができる。
【０００６】
また、本考案によれば、額縁領域の所定の位置に収容空間に収容された収容物品に関する情報を表示するための表示体を貼付可能にしたので、収容容器を再利用した時に、収容空間内に何が収容されているのかを一目で判断することができ、再利用する収容容器をさらにより有効活用しやすくすることができる。
【０００７】
また、本考案によれば、表示体がカレンダーであり、少なくとも蓋体を立てかけて設置するための設置部が形成されているので、この収容容器、特に蓋体の装飾部における絵柄等をより観賞に供することができる。
【図面の簡単な説明】
【０００８】
【図１】本考案に係る収容容器の分解斜視図である。
【図２】収容空間内の緩衝シートのくり抜き領域をくり抜いて窓部を形成し、蓋体の表面に貼る際の工程を説明するための説明図である。
【図３】蓋体の表面に緩衝シートを貼付した時の該蓋体の斜視図である。
【図４】緩衝シートを貼付するとともに表示体を設けて、蓋体を壁に貼り付けている様子を説明するための説明図である。
【考案を実施するための形態】
【０００９】
次に、本考案に係る収容容器１の構成について説明する。まず、図１に示すように、本実施の形態に係る収容容器１は、容器本体２、蓋体３、緩衝材４及び緩衝シート５から構成されている。
【００１０】
容器本体２は、底板６と、この底板６から立ち上がるように形成された側板７とを備えており、上部において側板７で囲まれた部分には開口部８が形成されている。また、この開口部８から下方には、側板７で側方が囲まれ、かつ下側に底板６が配置されていることにより形成された収容空間９が形成されている。この収容空間９は、例えば、お菓子やクッキー、チョコレート等のような食品、又は食品以外のものから構成される各種の収容物品１０が収容できる大きさに形成されている。なお、本実施の形態では、収容物品１０として球体状に表しているが、この形状は球体状以外の他の形状であってもよいのはもちろんである。また、底板６及び側板７は、それぞれを別体で形成して組み付けてもよいし、一体的に形成してもよい。さらに、容器本体２は、金属板製、プラスチック製、木製又は紙製等であることが容器本体２の強度や耐久性の面から望ましいが、これらの材料に限定されるものではない。
【００１１】
蓋体３は、開口部８を閉塞するように、この容器本体２に対して着脱自在に装着されるように構成されている。この蓋体３は、天板部１１とこの天板部１１の周囲から下方に向けて延びる側部１２とを有している。これら天板部１１及び側部１２は、それぞれ別体で形成してもよいし一体的に形成してもよい。また、蓋体３は、金属板製、プラスチック製、木製又は紙製等であることが容器本体２の強度や耐久性の面から望ましいが、これらの材料に限定されるものではないし、容器本体２とは同じ材質のものを用いてもよいし、異なる材質のものを用いてもよい。
【００１２】
図１に示すように、蓋体３には表面の中央部に第１領域１３が形成されており、この第１領域１３の周囲を囲むように第２領域１４が形成されている。第１領域１３は、所定の装飾が施される装飾部１５として形成されている。ここでの装飾は、例えば平面状に形成された表面に絵画が描かれている場合や、又は表面を平面状にはせず、凹凸を形成している場合、又はこれら絵画と凹凸とを組み合わせて形成している場合などが挙げられるが、これらに限定されるものではない。また、第１領域１３は装飾部１５として形成し、第２領域１４は別の装飾を施してもよいし、表面の地肌が視認されるようにしておいてもよい。
【００１３】
緩衝材４は、収容空間９内に配置することのできる大きさに形成されたシート状の部材である。この緩衝材４には、従来から公知のものを任意に選択して用いてもよく、例えば空気の入ったポケットが多数形成されている気泡緩衝材を所定間隔に多数配置したシート状の緩衝材４が用いられる。なお、この緩衝材４は、底板６に対して平面状に配置して、収容物品１０に対して衝撃力が加わるのを緩くするようにしているが、例えば底板６に沿うように配置するだけではなく、側板７にも沿うように配置してもよいし、これ以外の態様で配置してもよい。
【００１４】
緩衝シート５は、緩衝材４とは別体で形成されているシート状の部材である。この緩衝シート５は、本実施の形態では緩衝材４の直上に配置するようにしているが、例えば緩衝材４の上に収容物品１０を収容空間９内に収容配置し、その収容配置された収容物品１０の上に緩衝シート５を配置するというようにしてもよい。緩衝シート５としては、例えば厚紙のような紙製のものや、プラスチック製、又は厚みのある発泡樹脂シート製によるものを例として挙げることができるが、収容空間９内に収容配置されている収容物品１０に対して加わる衝撃力を補助的に緩くすることができれば、上記した材質のものには限定されない。
【００１５】
図１に示すように、緩衝シート５には、くり抜き領域１６と、額縁領域１７と、切断部１８とが形成されている。くり抜き領域１６は、装飾部１５が形成されている大きさ、言い換えれば第１領域１３の範囲と同じ範囲となるような大きさに形成されている領域である。額縁領域１７は、くり抜き領域１６の周囲に形成されている領域であって、蓋体３における第２領域１４と略同じ範囲を占める領域となるように形成されている。また、切断部１８は、くり抜き領域１６及び額縁領域１７の境界に形成されており、この切断部１８においてくり抜き領域１６をくり抜く場合に、額縁領域１７と切断されるようになっている。つまり、緩衝シート５は、切断部１８を中心に考えると、該切断部１８の外側には、切断部１８に沿うように額縁領域１７が形成されており、該切断部１８の内側には、切断部１８に沿うようにくり抜き領域１６が形成されている。
【００１６】
図２（ａ）に示すように、緩衝シート５のくり抜き領域１６をくり抜くと、該緩衝シート５は、元々くり抜き領域１６として形成されていた領域が開口し、窓部１９が形成される。即ち、くり抜き領域１６がくり抜かれると、緩衝シート５は、額縁領域１７に囲まれた中側に窓部１９が形成されることになる。そして、図２（ｂ）に示すように、額縁領域１７の下面の例えば四隅に接着剤２０等を塗布することもでき、蓋体３の表面に接着固定することもできるようになっている。なお、接着剤２０を用いて蓋体３の表面に緩衝シート５を接着固定する場合、接着剤２０を塗布するのは緩衝シート５の四隅に限定されるものではなく、緩衝シート５の下面全体に接着剤２０を塗布してもよいし、四隅以外の部分に対しても部分的に塗布してもよい。
【００１７】
図３に、緩衝シート５を蓋体３の表面に接着固定した例を示す。このように、緩衝シート５を蓋体３の表面に接着固定すると、くり抜き領域１６の大きさと装飾部１５の大きさが略同一であるから、窓部１９の大きさと装飾部１５の大きさとも略同一となるから、装飾部１５に描かれている絵柄等の各種装飾が窓部１９から視認できるようになる。また、このように緩衝シート５を蓋体３の表面に貼り付けると、装飾部１５は確実に視認され、かつ装飾部１５の周囲は緩衝シート５によって覆われる。そのため、あたかも蓋体３の表面に描かれている装飾部１５の絵柄等が額装されている絵画のように視認することもでき、観賞効果を大きく向上させることができる。また、それによって、この収容容器１を本来の用途での使い道が完了した後すぐに廃棄するのではなく、別の用途で再利用するようにも使用者に対して意識を向けさせることもできる。したがって、本考案に係る収容容器１によれば、くり抜き領域１６をくり抜いて窓部１９を形成した緩衝シート５を蓋体３の表面に貼着することにより、さらに別の用途にも再利用される可能性を大きく向上させ、廃棄物の量を低減させることができる。
【００１８】
なお、このように窓部１９を形成した緩衝シート５を貼り付けて収容容器１を再利用するとき、多くの場合は収容容器１内に収容する収容物品１０は、当初収容されていたものとは異なるものを収容する。例えば、元々の収容物品１０はお菓子であったのに対し、再利用する時には例えば鋏などのような各種の文房具のように、当初とは全く異なる物品を収容物品１０として収容空間９内に収容する場合が多くある。そのため、収容容器１内に何を収容しているのかを明らかにするために、収容空間９に収容された収容物品１０に関する情報を表示するための表示体２１が額縁領域１７の所定の位置に貼付可能であることが好ましい。例えば、図３に示すように、蓋体３に貼着された緩衝シート５の額縁領域１７に表示体２１を接着剤２０等によって貼り付けて、どのようなものが収容容器１内に収容されているかを表示させるような態様にしてもよい。
【００１９】
この場合、表示体２１は、例えばくり抜き領域１６をくり抜く時に落としたシート材に予め想定される収容物品１０を印刷などによって表示しておき、それを表示体２１として用いてもよいし、また緩衝シート５とは別体のシート状部材に対して予め想定される収容物品１０の名称を印刷などによって表示してもよい。また、本実施の形態では、表示体２１として予め用意している例を用いて説明しているが、使用者が額縁領域１７に記載したり、名称は記載されていないシート材をあらかじめ用意しておき、使用者が名称を記載することによって表示体２１とするようにしてもよい。
【００２０】
このように、本考案に係る収容容器１によれば、当初の目的で使用した収容容器１を別の用途に再利用しやすくすることができ、より廃棄物の量も低減させることができたり、また蓋体３に描かれている装飾部１５を観賞にも再利用することができ、使用者又は保管者に対する癒し効果も十分発揮させることができる。
【００２１】
図４に示すように、この収容容器１は、少なくとも蓋体３を立てかけて設置するための設置部２２が形成されていてもよい。このように設置部２２を設けることによって、収容容器１として使用しなかった場合であっても、蓋体３の装飾部１５を観賞用に再利用することができるので、この場合においても他の目的で再利用させることができる。また、この場合には、額縁領域１７に貼着される表示体２１としては、カレンダーであることが好ましい。カレンダーを表示体２１にすることで、使用者の生活に密着した状態で少なくとも蓋体３を再利用することができるので、より長期間にわたって収容容器１を別の目的で利用することができる。
【００２２】
なお、本実施の形態において説明したのは、本考案に係る収容容器の例を挙げて説明したに過ぎず、本考案の趣旨を逸脱しない範囲において、任意に変更してもよい。
【符号の説明】
【００２３】
１  収容容器
２  容器本体
３  蓋体
４  緩衝材
５  緩衝シート
６  底板
７  側板
８  開口部
９  収容空間
１０  収容物品
１１  天板部
１２  側部
１３  第１領域
１４  第２領域
１５  装飾部
１６  くり抜き領域
１７  額縁領域
１８  切断部
１９  窓部
２０  接着剤
２１  表示体
２２  設置部
【図１】
0003207405.tif 000003
【図２】
0003207405.tif 000004
【図３】
0003207405.tif 000005
【図４】
0003207405.tif 000006